(57)【要約】【課題】プッシュボタンスイッチを床面側として、測定計を壁面に立てかけて保管した場合でも、プッシュボタンスイッチが誤ってオンしないように工夫した。【解決手段】体重計（測定計）１に被測定者が乗ることで、この被測定者の生体情報を測定する生体情報測定装置である。体重計１は、略平板状に形成され、この体重計１の外周面に、外方に突出する測定開始用プッシュボタンスイッチ１７が設置されている。このプッシュボタンスイッチ１７の両側方に位置する体重計１の外周面に、プッシュボタンスイッチ１７の先端１７ａよりも外方に突出する突出部１ｂが形成されている。【選択図】図１
2010220830.tif 000002
【特許請求の範囲】
【請求項１】
測定計に被測定者が乗ることで、この被測定者の生体情報を測定する生体情報測定装置において、
前記測定計は、略平板状に形成され、この測定計の外周面に、外方に突出する測定開始用プッシュボタンスイッチが設置され、このプッシュボタンスイッチの両側方に位置する測定計の外周面に、プッシュボタンスイッチの先端よりも外方に突出する突出部が形成されていることを特徴とする生体情報測定装置。
【請求項２】
前記プッシュボタンスイッチが設置される部位の測定計の外周面は円弧部に形成され、この円弧部の中央部分にプッシュボタンスイッチが設置され、この円弧部の両端部分は、プッシュボタンスイッチの先端よりも外方に突出する突出部となることを特徴とする請求項１に記載の生体情報測定装置。
【発明の詳細な説明】
【技術分野】
【０００１】
本発明は、生体情報測定装置に関する。
【背景技術】
【０００２】
従来、測定計に被測定者が乗ることで、この被測定者の生体に関する情報を測定する生体情報測定装置がある。
【０００３】
生体に関する情報が体重であれば、生体情報測定装置は体重計（測定計）であり、生体に関する情報が皮下脂肪厚であれば、生体情報測定装置は体組成計（測定計…体重計を兼ねることもある。）である（特許文献１参照）。
【０００４】
図５（ａ）に示すように、前記のような測定計２１の外形状は、通常は四角状や円状等で、略平板状（偏平状）に形成されている。そして、この測定計２１の外周面に、外方に突出する測定開始用プッシュボタンスイッチ２２が設置されているものがある。ここでプッシュボタンスイッチ２２とは、要するに、押すことでオン・オフするスイッチであり、その他、シーソースイッチやスティックスイッチ等も含まれるものである。
【０００５】
このように、プッシュボタンスイッチ２２を測定計２１の外周面から外方に突出させておけば、測定計２１に乗る被測定者は、立ったままの姿勢で、プッシュボタンスイッチ２２を足で蹴って押すことができるので、簡単に測定を開始できるという利点がある。そのために、プッシュボタンスイッチ２２は、測定計２１に乗る側、つまり、前面２１ａ側に配置されている。
【０００６】
ところで、図５（ｂ）に示すように、測定計２１を床面２３に置いたまま保管すると、邪魔になることがあるから、矢印のように、壁面２４に立てかけて保管することがある。
【０００７】
この場合、測定計２１の測定値等の表示部２１ｂが上側であるという意識が働いて、プッシュボタンスイッチ２２を床面２３側とすることが多い。
【先行技術文献】
【特許文献】
【０００８】
【特許文献１】特開２００４−２５５０１５号公報
【発明の概要】
【発明が解決しようとする課題】
【０００９】
しかしながら、プッシュボタンスイッチ２２を床面２３側として、測定計２１を壁面２４に立てかけて保管した場合、測定計２１の自重がプッシュボタンスイッチ２２に作用するようになる。これにより、プッシュボタンスイッチ２２が床面２３に押し付けられることで誤ってオンし、このオン状態が長く続くことで、測定計２１に内蔵している電池が著しく消耗するという問題があった。
【００１０】
本発明は、前記問題を解消するためになされたもので、プッシュボタンスイッチを床面側として、測定計を壁面に立てかけて保管した場合でも、プッシュボタンスイッチが誤ってオンしないように工夫した生体情報測定装置を提供することを目的とするものである。
【課題を解決するための手段】
【００１１】
前記課題を解決するために、本発明は、測定計に被測定者が乗ることで、この被測定者の生体情報を測定する生体情報測定装置において、前記測定計は、略平板状に形成され、この測定計の外周面に、外方に突出する測定開始用プッシュボタンスイッチが設置され、このプッシュボタンスイッチの両側方に位置する測定計の外周面に、プッシュボタンスイッチの先端よりも外方に突出する突出部が形成されていることを特徴とする生体情報測定装置を提供するものである。
【００１２】
請求項２のように、前記プッシュボタンスイッチが設置される部位の測定計の外周面は円弧部に形成され、この円弧部の中央部分にプッシュボタンスイッチが設置され、この円弧部の両端部分は、プッシュボタンスイッチの先端よりも外方に突出する突出部となる構成とすることができる。
【発明の効果】
【００１３】
本発明によれば、測定開始用プッシュボタンスイッチの両側方に位置する測定計の外周面に、プッシュボタンスイッチの先端よりも外方に突出する突出部を形成したものである。したがって、プッシュボタンスイッチを床面側として、測定計を壁面に立てかけて保管した場合でも、突出部が床面に接することで、プッシュボタンスイッチが床面に押し付けられることがなくなる。その結果、プッシュボタンスイッチが誤ってオンしなくなるので、測定計に内蔵している電池の無駄な消耗がなくなる。また、測定計の外周面に突出部を形成するだけであるから、構造もきわめて簡単である。
【００１４】
請求項２によれば、プッシュボタンスイッチの設置部位の外周面を円弧部とし、その中央部分にプッシュボタンスイッチを設置すれば、その両端部分を突出部とできるので、合理的であるとともに、デザイン的にも違和感がなくなる。
【図面の簡単な説明】
【００１５】
【図１】（ａ）は、本発明の実施形態の体重計にハンドユニットを取り付けた状態の斜視図、（ｂ）は（ａ）の要部平面図である。
【図２】ハンドユニットを用いて生体インピーダンスを測定する時の斜視図である。
【図３】本発明の実施形態の体重計であり、（ａ）は略画的平面図、（ｂ）は床面に置いた保管状態と、壁面に立てかけた保管状態の側面図である。
【図４】（ａ）（ｂ）は、それぞれ本発明の実施形態の体重計の変形例の平面図である。
【図５】従来の体重計であり、（ａ）は略画的平面図、（ｂ）は床面に置いた保管状態と、壁面に立てかけた保管状態の側面図である。
【発明を実施するための形態】
【００１６】
以下、本発明を実施するための形態について、図面を参照しながら詳細に説明する。図１（ａ）は、体重計（測定計）１にハンドユニット（皮下脂肪厚測定ユニット）２を取り付けた状態の斜視図、図２は、体重計１からハンドユニット２を取り外して、生体インピーダンスを測定している状態の斜視図である。
【００１７】
この体重計１は、体組成体重計であり、この体重計１に被測定者が左右の足を乗せると、その体重をハンドユニット２の表示部２Ａで表示することができる。
【００１８】
この体重計１の左右の足を乗せる部分には、印加電極３と測定電極４がそれぞれ設けられて、印加電極３と測定電極４との間で足の生体インピーダンスを測定することができる。この足の生体インピーダンスに基づく体脂肪（内臓脂肪）率は、ハンドユニット２の表示部２Ａで表示することができる。
【００１９】
また、ハンドユニット２の左右の手で把持する把持部１０，１１には、印加電極（図示せず。）と測定電極６がそれぞれ設けられて、印加電極と測定電極６との間で手の生体インピーダンスを測定することができる。この手の生体インピーダンスに基づく体脂肪率は、ハンドユニット２の表示部２Ａで表示することができる。
【００２０】
そして、ハンドユニット２と体重計１は、フレキシブルなコード７で電気的に接続されている。このコード７は、体重計１側とハンドユニット２側の測定情報とを一元的に管理する等のためのものであり、体重計１で測定した体重や電極３〜６で測定した体脂肪率等をハンドユニット２の表示部２Ａで表示することができる。なお、電極３〜６で生体インピーダンスを測定する方法は、公知であるので、これ以上の説明は省略する。
【００２１】
ハンドユニット２の正面には、体脂肪率等を表示する液晶ディスプレイ等の表示部２Ａと、身長・体重・性別等を入力する各種スイッチ１５が配列された操作部２Ｂとが設けられている。
【００２２】
ハンドユニット２と体重計１とを電気的に接続するコード７は、体重計１内に設けられたコードリール（図示せず。）に巻き取り・引き出し可能に巻き付けられている。
【００２３】
前記のように、ハンドユニット２を備えた体重計１を用いて、生体インピーダンスを測定する場合には、図２に示したように、ハンドユニット２を体重計１から取り外して、被測定者は体重計１の上に乗る。ハンドユニット２には、被測定者の身長・性別・年齢等を予め入力しておく。なお、体重は、体重計１で自動的に測定されるので入力する必要は無い。
【００２４】
そして、被測定者は、ハンドユニット２の把持部１０，１１を両手で把持し、巻き取り方向に付勢されたコード７を体重計１内のコードリールから引き出しながら、両腕を真っ直ぐに伸ばした状態にハンドユニット２を保持する。
【００２５】
このようにして、体重計１で測定した体重や各電極３〜６で測定した手足の生体インピーダンスに基づく体脂肪率は、前述のように、ハンドユニット２の表示部２Ａで表示されるようになる。
【００２６】
前記ハンドユニット２に、測定開始用プッシュボタンスイッチを設けることができる。しかし、体重計１にハンドユニット２を取り付けた状態で、体重だけを測定するような場合のために、円形で略平板状に形成された体重計１の外周面に、外方に突出する測定開始用プッシュボタンスイッチ１７が設置されている。
【００２７】
これにより、体重計１に乗る被測定者は、立ったままの姿勢で、プッシュボタンスイッチ１７を足で蹴って押すことができるので、簡単に測定を開始できる。そのために、プッシュボタンスイッチ１７は、体重計１に乗る側、つまり、前面１ａ側に配置されている。
【００２８】
このプッシュボタンスイッチ１７の両側方に位置する体重計１の外周面に、プッシュボタンスイッチ１７の先端１７ａよりも外方に突出する（一点鎖線ａ参照）突出部１ｂが形成されている。
【００２９】
具体的には、図３（ａ）にも示すように、プッシュボタンスイッチ１７が設置される前面１ａに円弧部１ｃが形成されている。そして、この円弧部１ｃの中央部分にプッシュボタンスイッチ１７が設置され、この円弧部１ｃの両端部分は、プッシュボタンスイッチ１７の先端１７ａよりも外方に突出する突出部１ｂとなる。
【００３０】
前記体組成体重計１は、プッシュボタンスイッチ１７の両側方に位置する体重計１の前面１ａに、プッシュボタンスイッチ１７の先端１７ａよりも外方に突出する突出部１ｂを形成したものである。
【００３１】
そして、図３（ｂ）に示すように、体重計１を床面２３に置いたまま保管すると、邪魔になることがある。そこで、矢印のように、プッシュボタンスイッチ１７を床面２３側として、体重計１を壁面２４に立てかけて保管する場合には、突出部１ｂが床面２３に接することで、プッシュボタンスイッチ１７が床面２３に押し付けられることがなくなる。特に、起毛を有するカーペットが床面２３に敷かれているような場合には、プッシュボタンスイッチ１７が起毛に隠れて見えなくなるような時には有利である。
【００３２】
その結果、プッシュボタンスイッチ１７が誤ってオンしなくなるので、体重計１に内蔵している電池の無駄な消耗がなくなる。また、体重計１の外周面である前面１ａに突出部１ｂを形成するだけであるから、構造もきわめて簡単である。
【００３３】
さらに、プッシュボタンスイッチ１７の設置部位の前面１ａを円弧部１ｃとし、その中央部分にプッシュボタンスイッチ１７を設置すれば、その両端部分を突出部１ｂとできるので、合理的であるとともに、デザイン的にも違和感がなくなる。
【００３４】
前記実施形態では、体重計１の前面１ａに円弧部１ｃを形成し、この円弧部１ｃの両端部分を突出部１ｂとしたものであったが、図４（ａ）のように、体重計１が四角状であれば、真っ直ぐな前面１ａの両端に突出部１ｂを形成することもできる。また、突出部１ｂは、体重計１の前面１ａから一体に突出させる必要はなく、図４（ｂ）のように、別体の突出部１ｂを体重計１の前面１ａにねじ等で取付けることもできる。
【符号の説明】
【００３５】
１    体重計（測定計）
１ａ  前面（外周面）
１ｂ  突出部
１ｃ  円弧部
２    ハンドユニット（皮下脂肪厚測定ユニット）
７    コード
１７  測定開始用プッシュボタンスイッチ
１７ａ  先端
【図１】
2010220830.tif 000003
【図２】
2010220830.tif 000004
【図３】
2010220830.tif 000005
【図４】
2010220830.tif 000006
【図５】
2010220830.tif 000007